(57)【要約】    【課題】  植付け前の土壌面に被覆された被覆資材を効率的に所定形状に切断して作物種子等植付け用の開口部を形成し、切断資材片を回収除去できる装置を提供すること。    【解決手段】  土壌被覆資材切断除去装置１は、土壌被覆資材Ｍに対して下降する筒体２と、筒体２の下端縁部に設けられる資材切断用環部３と、筒体２と同期して下降する切断資材片捕捉部４を備え、筒体２はその内部に切断資材片Ｃを収容するように形成され、資材切断用環部３はその断面形状と同様の形状に土壌被覆資材Ｍを切断し切断資材片Ｃを生ぜしめるよう形成され、切断資材片捕捉部４は切断資材片Ｃを捕捉できるよう形成される。【選択図】  図１（ａ）
2006166755.tif 000002
【特許請求の範囲】
【請求項１】
土壌面に被覆された土壌被覆資材の一部を切断してこれを除去するための土壌被覆資材切断除去装置であって、該装置は、土壌被覆資材に対して下降する筒体と、該筒体の下端縁部に設けられる資材切断用環部と、該筒体と同期して該資材切断用環部より遅れてもしくは早くもしくは同時に下降する切断資材片捕捉部とを備えてなり、該筒体はその内部に切断された土壌被覆資材の切断片である切断資材片を収容するように形成され、該資材切断用環部はその断面形状と同様の形状に土壌被覆資材を切断して切断資材片を生ぜしめ、該切断資材片捕捉部は切断資材片を捕捉するものであることを特徴とする、土壌被覆資材切断除去装置。
【請求項２】
前記筒体および前記切断資材片捕捉部は、ともに上下動するように構成されていることを特徴とする、請求項１に記載の土壌被覆資材切断除去装置。
【請求項３】
前記切断資材片捕捉部は、前記筒体と同軸かつ該筒体の内部に設けられた杆状形態を有し、その先端部において前記切断資材片を捕捉するように形成されていることを特徴とする、請求項２に記載の土壌被覆資材切断除去装置。
【請求項４】
前記切断資材片捕捉部は、その先端部が前記土壌被覆資材を突き刺し、かつ該土壌被覆資材が切断されてなる切断資材片を捕捉して上方に引き上げることができるように形成されていることを特徴とする、請求項３に記載の土壌被覆資材切断除去装置。
【請求項５】
前記切断資材片捕捉部は、その先端部が鏃状に形成されていることを特徴とする、請求項４に記載の土壌被覆資材切断除去装置。
【請求項６】
前記切断資材片捕捉部にはその上方に、これを上下動させることのできる上下動駆動部が設けられていることを特徴とする、請求項２ないし５のいずれかに記載の土壌被覆資材切断除去装置。
【請求項７】
前記上下動駆動部には、前記切断資材片捕捉部の上下動を可能とするように、弾性体による上下収縮部が備えられ、上下動の駆動は外部装置における揺動または回転運動が変換されてなされることを特徴とする、請求項６に記載の土壌被覆資材切断除去装置。
【請求項８】
前記資材切断用環部は、発熱体により形成されており、前記土壌被覆資材を熱により切断して切断資材片を生ぜしめるものであることを特徴とする、請求項１ないし７のいずれかに記載の土壌被覆資材切断除去装置。
【請求項９】
前記資材切断用環部は、前記筒体を通してなされる電熱手段を備えて構成されることを特徴とする、請求項８に記載の土壌被覆資材切断除去装置。
【発明の詳細な説明】
【技術分野】
【０００１】
本発明は土壌被覆資材切断除去装置に係り、特に、圃場における作物種子等の植付け前の土壌面に被覆された被覆資材を確実かつ効率的に所定形状に切断して作物種子等植付け用の開口部を形成できるとともに、切断資材片を回収し圃場から除去できる、土壌被覆資材切断除去装置に関する。
【背景技術】
【０００２】
ニンニクの鱗片やジャガイモの種芋など、圃場における作物種子等の植付けに先立っては、地温確保等の目的で、土壌被覆資材にて土壌面を被覆することが多い。そのような被覆資材には、初めから植え付け用の開口部が形成されているものもあるが（例．後掲特許文献１）、地温維持効果の向上、植付け作業までの土壌の保全等のため、特にそのような開口部が形成されていないものが使用されることが多い。その場合、植付け前に、被覆資材に植え付け用の開口部を形成する作業が必要である。
【０００３】
【特許文献１】特開平１０−１１７６１１号公報。「農業用被覆資材」。
【発明の開示】
【発明が解決しようとする課題】
【０００４】
しかし、土壌被覆資材の開口作業を人力で一々行うことは煩雑かつ労力を要する。また、開口部を形成する際に生じる廃棄物である資材片の回収、補助からの除去もまた必要であり、労力を要する。
【０００５】
本発明が解決しようとする課題は、上記従来技術の問題点を除き、特に、圃場における作物種子等の植付け前の土壌面に被覆された被覆資材を確実かつ効率的に所定形状に切断して作物種子等植付け用の開口部を形成できるとともに、切断資材片を回収し圃場から除去できる、土壌被覆資材切断除去装置を提供することである。
【課題を解決するための手段】
【０００６】
本願発明者は上記課題について検討した結果、土壌被覆資材に対する機械的な上下運動によって資材を所定形状に切断するとともに、その作用と関連させて切断資材片を捕捉する機構を構成することによって上記課題の解決が可能であることを見出し、本発明に至った。すなわち、上記課題を解決するための手段として本願で特許請求される発明、もしくは少なくとも開示される発明は、以下のとおりである。
【０００７】
（１）  土壌面に被覆された土壌被覆資材の一部を切断してこれを除去するための土壌被覆資材切断除去装置であって、該装置は、土壌被覆資材に対して下降する筒体と、該筒体の下端縁部に設けられる資材切断用環部と、該筒体と同期して該資材切断用環部より遅れてもしくは早くもしくは同時に下降する切断資材片捕捉部とを備えてなり、該筒体はその内部に切断された土壌被覆資材の切断片である切断資材片を収容するように形成され、該資材切断用環部はその断面形状と同様の形状に土壌被覆資材を切断して切断資材片を生ぜしめ、該切断資材片捕捉部は切断資材片を捕捉するものであることを特徴とする、土壌被覆資材切断除去装置。
（２）  前記筒体および前記切断資材片捕捉部は、ともに上下動するように構成されていることを特徴とする、（１）に記載の土壌被覆資材切断除去装置。
（３）  前記切断資材片捕捉部は、前記筒体と同軸かつ該筒体の内部に設けられた杆状形態を有し、その先端部において前記切断資材片を捕捉するように形成されていることを特徴とする、（２）に記載の土壌被覆資材切断除去装置。
（４）  前記切断資材片捕捉部は、その先端部が前記土壌被覆資材を突き刺し、かつ該土壌被覆資材が切断されてなる切断資材片を捕捉して上方に引き上げることができるように形成されていることを特徴とする、（３）に記載の土壌被覆資材切断除去装置。
（５）  前記切断資材片捕捉部は、その先端部が鏃状に形成されていることを特徴とする、（４）に記載の土壌被覆資材切断除去装置。
（６）  前記切断資材片捕捉部にはその上方に、これを上下動させることのできる上下動駆動部が設けられていることを特徴とする、（２）ないし（５）のいずれかに記載の土壌被覆資材切断除去装置。
（７）  前記上下動駆動部には、前記切断資材片捕捉部の上下動を可能とするように、弾性体による上下収縮部が備えられ、上下動の駆動は外部装置における揺動または回転運動が変換されてなされることを特徴とする、（６）に記載の土壌被覆資材切断除去装置。
【０００８】
（８）  前記資材切断用環部は、発熱体により形成されており、前記土壌被覆資材を熱により切断して切断資材片を生ぜしめるものであることを特徴とする、（１）ないし（７）のいずれかに記載の土壌被覆資材切断除去装置。
（９）  前記資材切断用環部は、前記筒体を通してなされる電熱手段を備えて構成されることを特徴とする、（８）に記載の土壌被覆資材切断除去装置。
【発明の効果】
【０００９】
本発明の土壌被覆資材切断除去装置は上述のように構成されるため、これによれば、労力を要せずに圃場における作物種子等の植付け前の土壌面に被覆された被覆資材を確実かつ効率的に所定形状に切断して作物種子等植付け用の開口部を形成できるとともに、労力を要せずに切断資材片を効率的に回収して圃場から除去することができる。
【発明を実施するための最良の形態】
【００１０】
以下、本発明を図面により詳細に説明する。
図１（ａ）、（ｂ）、（ｃ）、（ｄ）は、本発明の土壌被覆資材切断除去装置１の基本的構成を示す説明図、およびその作動の経過を示す説明図である。これらの図に示すように本装置１は、土壌Ｅ面に被覆された土壌被覆資材Ｍの一部を切断してこれを除去するための装置であって、土壌被覆資材Ｍに対して下降する筒体２と、該筒体２の下端縁部に設けられる資材切断用環部３と、該筒体２と同期して該資材切断用環部２より遅れてもしくは早くもしくは同時に下降する切断資材片捕捉部４とを備えてなるものであり、該筒体２はその内部に切断された土壌被覆資材Ｍの切断片である切断資材片Ｃを収容するように形成され、該資材切断用環部３はその断面形状と同様の形状に土壌被覆資材Ｍを切断して切断資材片Ｃを生ぜしめるように形成され、該切断資材片捕捉部４は切断資材片Ｃを捕捉することのできるように形成されていることを、基本的構成とする。
【００１１】
内部に切断資材片Ｃを収容できる該筒体２の構造としては、該資材切断用環部３の形状および大きさを含むことのできる断面形状およびその大きさを有する筒体を、好適に用いることができる。該資材切断用環部３の形状としては、円形が好適に用いられるが、それに限定されず四角形等の多角形など、適宜の形状とすることもできる。
【００１２】
該資材切断用環部３が土壌被覆資材Ｍを切断するための構成は、後述するように、電熱手段を用いて該資材切断用環部３を土壌被覆資材Ｍの溶融温度以上に熱し、該資材Ｍを焼き切るようにする構成の他、端部を鋭利な構造として押し切るようにする構成など、適宜の構成を採用することができる。
【００１３】
本発明の土壌被覆資材切断除去装置１は上述のように構成されているため、
該筒体２は土壌被覆資材Ｍに対して下降して、該資材切断用環部３が資材Ｍに接してこれを切断し、切断資材片Ｃを生じる（図１（ｂ））。その後も該筒体２は下降を続けて土壌Ｅ中に進入し、同期して下降する該資材片捕捉部４が、切断資材片Ｃに接してこれを捕捉する（図１（ｃ））。切断資材片Ｃの捕捉が完了した後、該筒体２は上昇し、それに同期して該切断資材片捕捉部４も、土壌Ｅ面から切断資材片Ｃを捕捉し該筒体２内部にこれを収容したまま上昇する（図１（ｄ）。このようにして、土壌Ｅ面に被覆された土壌被覆資材Ｍの一部が切断されてこれが除去される。
【００１４】
上述のように、該筒体２と同期して作動する該切断資材片捕捉部４は、該資材切断用環部３より遅れて下降するように構成することで、土壌被覆資材Ｍが切断されて生じた切断資材片Ｃが、切断された場所から遊離することを該筒体２で防ぎつつ、その後から下降する該資材片捕捉部４による捕捉が良好になされる。しかし、該切断資材片捕捉部４と該資材切断用環部３とは同時に下降しても、あるいはまた前者が後者よりも速く下降して先に捕捉をしてしまう構成としてもよい。
【００１５】
これらの図において、本発明土壌被覆資材切断除去装置１は、前記筒体２および前記切断資材片捕捉部４を、ともに同期して上下動させることによって上記作用をなすが、これらを、ともに操作により自動的に上下動するように構成することも、もちろん可能である。
【００１６】
これらの図に示すように、本発明土壌被覆資材切断除去装置１は、その切断資材片捕捉部４が、前記筒体２と同軸かつ該筒体２の内部に設けられた杆状形態であり、その先端部５において前記切断資材片Ｃを捕捉するように形成されている構成とすることができる。
【００１７】
かかる構成により、前記資材切断用環部３により生じた切断資材片Ｃの中央部に対して該切断資材片捕捉部４が接してこれを確実に捕捉し、切断資材片Ｃはその中央部を確実に捕捉されて引き上げられ、該筒体２内部に確実に収容される。
【００１８】
また、本発明土壌被覆資材切断除去装置１では、該切断資材片捕捉部４を、その先端部５が前記土壌被覆資材Ｍを突き刺し、かつ切断資材片Ｃを捕捉して上方に引き上げることができるように構成することができる。
【００１９】
かかる構成により、該切断資材片捕捉部４は、その先端部５で土壌被覆資材Ｍを突き刺し、切断資材片Ｃを捕捉して、上方に引き上げることができる。
【００２０】
かかる作用を確実になすために、該切断資材片捕捉部４の先端部５は、鏃状に形成することができる。
【００２１】
図１（ａ）等に示すように、本土壌被覆資材切断除去装置１は、前記切断資材片捕捉部４にはその上方に、これを上下動させることのできる上下動駆動部６を設けた構成とすることができる。
【００２２】
かかる構成により、前記筒体２および該切断資材片捕捉部４の下降−上昇運動は、該上下動駆動部６によって円滑になされる。
【００２３】
該上下動駆動部６の具体的構成には、自動か手動かに関わらず、公知の駆動方法、機構を適宜用いることができる。
【００２４】
図２は、本発明土壌被覆資材切断除去装置の具体的構成例を示す説明図である。図示するように本装置２１は、上述した構成を基本とし、さらに、前記上下動駆動部２６には、前記切断資材片捕捉部２４の上下動ＵＤを可能とするように、弾性体による上下収縮部２７が備えられ、また、外部装置における揺動ＳＷまたは回転運動（図示せず）を本装置２１の上下動ＵＤの駆動に変換する手段を備えて構成することができる。図中、符号２８は、揺動を本装置に伝達するための揺動杆部である。
【００２５】
かかる構成により、外部装置における揺動ＳＷまたは回転運動（図示せず）が本装置２１の上下動ＵＤの駆動に変換され、本装置２１の駆動を外部装置のかかる揺動等もしくは外部装置に別途連結された装置の動きと連動したものとすることができる。したがって実施例に後述するように、植付け機構との連動により、本発明装置２１で土壌被覆資材に植付けのための開口部を形成するとともに切断資材片を回収し、該開口部に植付け機構によって植付け物を植え付けるシステムを構成することができる。
【００２６】
図において本発明の土壌被覆資材切断除去装置２１は、前記資材切断用環部２３を発熱体（図示せず）により形成し、土壌被覆資材（Ｍ）を熱により切断して切断資材片（Ｃ）を生ぜしめる構成とすることができる。
【００２７】
土壌被覆資材は熱可塑性材料により形成されているため、該資材切断用環部２３を、その溶融点以上の熱を発する発熱体によって形成することで、これを焼き切ることができる。
【００２８】
該資材切断用環部２３は、前記筒体２２を通してなされる電熱手段（図示せず）を備えて構成することができる。電熱手段を用いることにより、該資材切断用環部２３の発熱・温度制御を円滑、迅速、確実かつ容易に行うことができる。
【実施例】
【００２９】
本発明の土壌被覆資材切断除去装置を、本願発明者が先に発明した植付け物植付け機構および植付け物ホルダーに連動するよう構成した実施例を説明する。まず、植付け物植付け機構および植付け物ホルダーの概要を説明する。
【００３０】
植付け物植付け機構および植付け物ホルダーは、上記従来技術の問題点を除き、ニンニク等の鱗茎類野菜・芋類・球根等の植付けを、簡易な構造によって効率的に行えるようにするために、本願発明者が先に発明したものであり、植付け物を専用のホルダーに装填する作業のみにより植付け物を連続的に植付けることのできる構成を基本とする。すなわち、次のような構成である。
【００３１】
（１）    鱗茎類野菜・芋類・球根等の植付け物を植付けるための植付け物植付け機構であって、該機構は第一クランク、第二クランク、両クランクを連結するロッド、植付け物ホルダー、ならびに該植付け物ホルダーと該第二クランクとを連結するホルダー連結部とを有してなり、該第一クランクはその回転により該ロッドを回転させ、該ロッドは該第一クランクの回転運動を第二クランクに伝え、該第二クランクは該ロッドの回転運動により回転もしくは揺動運動ならびに滑動運動を行い、該植付け物ホルダーは植付け物を収納するための植付け物収納部、ならびに該ロッドの先端が略最下点を通過もしくは略最下点に到達する際に該植付け物収納部が開放作動するように構成された植付け物開放手段を有することを特徴とする、植付け物植付け機構。 
（２）  前記第二クランクは回転運動および滑動運動を行い、該滑動運動は、前記植付け物ホルダーがその長手方向が略鉛直方向となる姿勢をとる位置に来た際に、それまでの回転運動から切り替わって該第二クランクがスライダとなって略鉛直方向下方に滑動するものであり、該切り替わりの位置に該植付け物ホルダーが戻った以降は再度回転運動に切り替わるように構成されていることを特徴とする、（１）に記載の植付け物植付け機構。 
（３）  前記第二クランクは揺動運動および滑動運動を行い、該滑動運動は、前記植付け物ホルダーがその長手方向が略鉛直方向となる姿勢をとる位置に来た際に、それまでの回転運動から切り替わって該第二クランクがスライダとなって略鉛直方向下方に滑動するものであり、該切り替わりの位置に該植付け物ホルダーが戻った以降は再度、反対方向の揺動運動に切り替わるように構成されていることを特徴とする、（１）に記載の植付け物植付け機構。 
【００３２】
（４）  前記植付け物収納部はその先端の開放部が拡径自在に構成され、前記植付け物開放手段は前記ロッドの先端が略最下点を通過もしくは略最下点に到達する際に該植付け物収納部を開放作動するように構成された押出し桿部であり、該押出し桿部は、該ロッドの先端が略最下点を通過もしくは略最下点に到達する際の下方への滑動運動により、該植付け物収納部に収納された植付け物を下方へ押出す作動を行うことを特徴とする、（１）ないし（３）のいずれかに記載の植付け物植付け機構。 
【００３３】
（５）  前記植付け物収納部はその先端の開放部が拡径自在に構成され、前記植付け物開放手段は前記ロッドの先端が略最下点を通過もしくは略最下点に到達する際に該植付け物収納部を開放作動するように構成されたホルダー軸であり、該ホルダー軸は、該ロッドの先端が略最下点を通過もしくは略最下点に到達する際の下方への滑動運動により押下され、その先に設けられている該植付け物収納部の開放部を拡径させる作動を行うことを特徴とする、（１）ないし（３）のいずれかに記載の植付け物植付け機構。 
【００３４】
（６）  （４）に記載の植付け物植付け機構に用いることのできる植付け物ホルダーであって、該植付け物ホルダーは、 
（Ａ）前記押出し桿部が貫挿され、前記開放部側端部に後記収納部バネ受けが設けられたホルダー軸と、 
（Ｂ）該開放部側端部に押出し体の設けられた押出し桿部と、 
（Ｃ）該ホルダー軸およびその先端部を囲繞して設けられた苞状構造と、 
（Ｄ）該ホルダー軸に摺設された苞状桿部受けと、 
（Ｅ）該ホルダー軸に設けられ、該苞状桿部受けの軸方向上位置を調節可能なことにより、前記植付け物収納部のサイズ調節を行うことのできる弾性調節部と、からなり、 
該苞状構造は、 
（Ｃ−１）前記植付け物収納部を形成し、該収納部バネ受けに一端が固定された収納部バネと、 
（Ｃ−２）該収納部バネの他端に取着され、該苞状桿部受けに他端が固定された苞状桿部と、を有してなり、 
また該弾性調節部は、 
（Ｅ−１）該苞状桿部受けを該開放部側へ押圧する弾性部材と、 
（Ｅ−２）該弾性部材の伸縮を調節するための調節部材とからなり、 
該押出し桿部が押されることによって該押し出し体が開放部側へ押し出されることを特徴とする、植付け物ホルダー。 
【００３５】
（７）  （５）に記載の植付け物植付け機構に用いることのできる植付け物ホルダーであって、該植付け物ホルダーは、 
（Ａ’）前記開放部側端部に後記収納部バネ受けが設けられたホルダー軸と、 
（Ｃ’）該ホルダー軸およびその先端部を囲繞して設けられた苞状構造と、 
（Ｄ’）該ホルダー軸に摺設された苞状桿部受けと、 
（Ｅ’）該ホルダー軸に設けられ、該苞状桿部受けの軸方向上位置を調節可能なことにより、前記植付け物収納部のサイズ調節を行うことのできる弾性調節部と、からなり、 
該苞状構造は、 
（Ｃ’−１）前記植付け物収納部を形成し、該収納部バネ受けに一端が固定された収納部バネと、 
（Ｃ’−２）該収納部バネの他端に取着され、該苞状桿部受けに他端が固定された苞状構造と、を有してなり、 
また該弾性調節部は、 
（Ｅ’−１）該苞状桿部受けを該開放部側へ押圧する弾性部材と、 
（Ｅ’−２）該弾性部材の伸縮を調節するための調節部材とからなり、 
該ホルダー軸が押下されることによって該収納部バネが拡径することを特徴とする、植付け物ホルダー。 
【００３６】
（８）  前記収納部バネは、谷部と山部を有するように二の屈曲部が形成された線状材料からなることを特徴とする、（６）または（７）に記載の植付け物ホルダー。 
（９）  鱗茎類野菜・芋類・球根等の植付け物を植付けるための植付け物植付け機構であって、該機構は、植付け物ホルダー、該植付け物ホルダーを取着可能なベルト、該ベルトを巻回してこれを回動させることのできる回動手段とを有してなり、該植付け物ホルダーは植付け物を収納するための植付け物収納部、ならびに該植付け物ホルダーの先端が略最下点を通過もしくは略最下点に到達する際に該植付け物収納部が開放作動するように構成された植付け物開放手段を有することを特徴とする、植付け物植付け機構。 
【００３７】
図３、４は、植付け物植付け機構についての説明図、また、
図５、６は、植付け物ホルダーの実施例を示す写真図である。このうち図６の例のホルダー２０Ｃは作動時に先端部（収納部バネ）２０９Ｃが張り出さず、土壌面に接する際の強度がより大きく、耐久性に優れる。また、収納部には植付け物の損傷を防止するための緩衝部材２１８Ｃが備えられている。
【００３８】
図７は、本発明土壌被覆資材切断除去装置の実施例を示す写真図である。
図８は、移動用機械（車輌）に備えられた、本実施例の土壌被覆資材切断除去装置と図３等の植付け物植付け機構とからなるシステムの構成を示す断面図である。また、
図９は、図７のシステムの要部を、車輌の移動方向から見た説明図である。
【００３９】
図８、９に示される通り、該植付け物ホルダー３０Ｈの先端部（収納部バネ）は、先に張り出した形状ではなく、先端部面位置から張り出さない形状とすることもできる。
【００４０】
これらに図示するように、植付け物ホルダー３０Ｈを中心として構成される植付け物植付け機構３０と、本発明の土壌被覆資材切断除去装置５１とが連動して、連続かつ交互に土壌面に対して作用するように駆動機構を構成して、一大の移動用機械４０に取付け、移動用機械４０を走行させることによって、ニンニク等の植付け物を植え付けるための開口部を土壌被覆資材に形成してその切断資材片を回収し、その直後に、開口部を通してその下の土壌に、該植付けホルダー３０Ｈにセットした植付け物を植え付けていくことができる。
【産業上の利用可能性】
【００４１】
本発明の土壌被覆資材切断除去装置は上述のように構成されるため、労力を要せずに圃場における作物種子等の植付け前の土壌面に被覆された被覆資材を確実かつ効率的に所定形状に切断して作物種子等植付け用の開口部を形成できるとともに、労力を要せずに切断資材片を効率的に回収して圃場から除去することができる。したがって、特に農業機械産業上、利用価値が高い発明である。
【図面の簡単な説明】
【００４２】
【図１（ａ）】本発明の土壌被覆資材切断除去装置の基本的構成を示す説明図、およびその作動の経過を示す説明図である。
【図１（ｂ）】本発明土壌被覆資材切断除去装置の図１（ａ）に続く作動の経過を示す説明図である。
【図１（ｃ）】本発明土壌被覆資材切断除去装置の図１（ｂ）に続く作動の経過を示す説明図である。
【図１（ｄ）】本発明土壌被覆資材切断除去装置の図１（ｃ）に続く作動の経過を示す説明図である。
【図２】本発明土壌被覆資材切断除去装置の具体的構成例を示す説明図である。
【図３】植付け物植付け機構の基本的構造例についての説明図である。
【図４】図３の植付け物植付け機構の作動についての説明図である。
【図５】植付け物ホルダーの実施例を示す写真図である。
【図６】植付け物ホルダーの他の実施例を示す写真図である。
【図７】本発明土壌被覆資材切断除去装置の実施例を示す写真図である。
【図８】移動用機械（車輌）に備えられた、本実施例の土壌被覆資材切断除去装置と図３等の植付け物植付け機構とからなるシステムの構成を示す断面図である。
【図９】図７のシステムの要部を、車輌の移動方向から見た説明図である。
【符号の説明】
【００４３】
１…土壌被覆資材切断除去装置
２…筒体
３…資材切断用環部
４…切断資材片捕捉部
５…先端部
６…上下動駆動部
２１…土壌被覆資材切断除去装置
２２…筒体
２３…資材切断用環部
２４…切断資材片捕捉部
２５…先端部
２６…上下動駆動部
２７…上下収縮部
２８…揺動杆部
３０…植付け物植付け機構
３０Ｈ…植付け物ホルダー３０Ｈ
４０…移動用機械（車輌）
５１…土壌被覆資材切断除去装置５１
７１…土壌被覆資材切断除去装置
７２…筒体
７３…資材切断用環部
７４…切断資材片捕捉部
７５…先端部
Ｃ…切断資材片
Ｅ…土壌
Ｍ…土壌被覆資材
Ｓ…揺動杆部の支点
ＳＷ…揺動
ＵＤ…上下動
【００４４】
１ｂ…植付け物植付け機構 
４ｂ…第一クランク 
５ｂ…ロッド 
６ｂ…第二クランク 
２０ｂ…植付け物ホルダー 
２０１ｂ…植付け物収納部 
２０５ｂ…植付け物開放手段 
３０ｂ…ホルダー連結部 
２０Ａ、２０Ｃ…植付け物ホルダー 
２０１Ａ…植付け物収納部 
２０２Ａ…開放部 
２０３Ａ…収納部バネ受け 
２０４Ａ…苞状桿部受け 
２０５Ａ…押出し桿部 
２０６Ａ…押出し体 
２０７Ａ…苞状構造 
２０８Ａ…調節部材（弾性調節部の一部） 
２０９Ａ、２０９Ｃ…収納部バネ 
２１０Ａ、２１０Ｂ…弾性部材（弾性調節部の一部） 
２１５Ａ、２１５Ｂ…ホルダー軸 
２１８Ｃ…緩衝部材
【図１（ａ）】
2006166755.tif 000003
【図１（ｂ）】
2006166755.tif 000004
【図１（ｃ）】
2006166755.tif 000005
【図１（ｄ）】
2006166755.tif 000006
【図２】
2006166755.tif 000007
【図３】
2006166755.tif 000008
【図４】
2006166755.tif 000009
【図８】
2006166755.tif 000010
【図９】
2006166755.tif 000011
【図５】
2006166755.tif 000012
【図６】
2006166755.tif 000013
【図７】
2006166755.tif 000014